(57)【要約】    【課題】  吸湿材に吸着した水分を効率良く放出させることで、省電力な除湿乾燥機を提供する。    【解決手段】  室内空気を吸湿空気２として取り込んで吸着材４で吸湿し、この吸着材４に吸湿した水分を加熱手段７で加熱させ、この加熱による水蒸気を例えば熱交換器３などで冷却凝縮して除湿を行なう。また、吸湿材４にスリット21を設けることで、吸湿材４の再生領域４Ｂにおける水分の放出経路は循環空気８の流出面のみならず、スリット21により露出した側面にも確保される。    【選択図】    図２
2005349312.tif 000002
【特許請求の範囲】
【請求項１】
気体を吸湿材で吸湿し、前記吸湿材に吸湿した水分を加熱手段で加熱させ、この加熱による水蒸気を冷却凝縮して除湿を行なう除湿乾燥機において、前記吸湿材にスリットを設けたことを特徴とする除湿乾燥機。
【発明の詳細な説明】
【技術分野】
【０００１】
本発明は、吸湿材を備えた除湿乾燥機に関する。
【背景技術】
【０００２】
従来の吸湿材を備えた除湿乾燥機は、図３に示すように、101は除湿機本体であって、この除湿機本体101は吸湿空気102の上流側より熱交換器103，吸湿材104，送風機105が配置され、吸湿空気102は送風機105により除湿機本体101内部に取り込まれて熱交換器103を冷却し、その後、吸湿材104により吸湿されてから外部へ排気される。
【０００３】
吸湿材104は図示しない駆動手段により回転する回転体であり、吸湿領域104Ａと再生領域106を順次回転しながら吸放湿を繰り返す。
【０００４】
吸湿材104の再生領域106は、加熱手段107の輻射熱と加熱手段107により加熱された循環空気108とにより加熱され、吸着した水分を放出し、循環空気108はその放出した水分を多量に含み高温高湿となって循環送風機109によって熱交換器103へ送られる。そして、循環空気108は吸湿空気102により冷却された熱交換器103内で冷却され、熱交換器103の内部表面に水分が結露し、この結露した水は熱交換器103からドレンパン（図示せず）へ流れ落ち、その後、ドレンパンからタンク110へ排水されるようになっている。
【０００５】
そして、同図に示すような吸湿材104で吸湿を行なうゼオライト式の除湿乾燥機は、例えば特許文献１において開示されている。
【特許文献１】特開２００３−１４４８３３号公報
【発明の開示】
【発明が解決しようとする課題】
【０００６】
このような除湿乾燥機に用いられる吸湿材104は、高温に加熱するほど吸着した水分を多く放出する性質を有している。図４に示すように回転体として駆動される吸湿材104は円板構造であるため、吸湿材104に吸着した水分は循環空気108の流出面から放出されることになる。しかしこの流出面は、吸湿材104の側面の一部分に過ぎないことから、吸湿空気102に含まれる水分を吸湿材104の吸湿領域104Ａにおいて十分に吸収できたとしても、吸湿材104から放出される水分量には制限があった。
【０００７】
また、吸湿材104に吸着した水分の放出に遅れが生じると、吸湿材104の吸着能力も悪化し、十分な除湿処理ができないという欠点があった。
【０００８】
そして、吸湿材104に吸着した水分の十分な放出量を得るためには、加熱手段の発熱量を上げてより高温にするか、吸湿材104における循環空気108の流出面を増やすなどの措置が必要であった。このため、除湿運転にかかる消費電力の増加や除湿機内における吸湿材の占有スペースの増大を招く等の問題があった。
【０００９】
本発明は、吸湿材に吸着した水分を効率良く放出させ、省電力で稼動する除湿乾燥機を提供することを目的とする。
【課題を解決するための手段】
【００１０】
本発明では、例えば吸湿材の厚さ面から中心軸に向かってスリットを設けたことで、輪切型にされた吸湿材に吸着した水分は、この吸湿材における循環空気の流出面からだけでなく、露出した側面からも放出させることができ、吸湿材全体に吸着した水分の十分な放出量を得ることができる。これにより従来の除湿乾燥機のように吸湿材全体の水分を放出させるために加熱手段の発熱量を必要以上に上げる必要がない。水分の放出が効率よく促進されることにより、低消費電力により稼動する除湿乾燥機を提供することができる。
【発明の効果】
【００１１】
本発明によれば、吸湿材に吸着した水分を効率良く放出させ、省電力で稼動する除湿乾燥機を提供することができる。
【発明を実施するための最良の形態】
【００１２】
次に本発明における好ましい除湿乾燥機の一実施例について、添付図面である図１および図２を参照しながら説明する。図２に示すように、１は除湿乾燥機の外郭をなす除湿機本体であって、この除湿機本体１は吸湿空気２の上流側より熱交換器３，吸湿材４，送風機５が配置され、吸湿空気２は送風機５により除湿機本体１内部に取り込まれて熱交換器３を冷却し、その後、吸湿材４により吸湿されてから除湿機本体１の外部へ排気されるように構成されている。
【００１３】
吸湿材４はハニカム状のゼオライトで形成されている。あるいは、吸湿材４には、ハニカム構造で形成された担体に、シリカゲル等の無機系吸湿剤を担持させたものを用いてもよい。そして、吸湿材４は、図示しない駆動手段により回転する円盤状の回転体として設けられ、その外周面から中心軸に向かって一乃至複数のスリット21を設けることにより、複数の輪切型の吸湿体22として形成されている。この回転体として駆動される吸湿材４の各吸湿体22は、吸湿領域４Ａ，再生領域６を順次回転しながら吸放湿を繰り返すようになっている。
【００１４】
また吸湿空気２の下流側には、吸湿材４の再生領域６に臨んでヒータなどの加熱手段７が設けられ、この再生領域６を通過しようとする循環空気８を加熱するように構成されている。さらに、９は循環空気８を循環させる循環送風機である。
【００１５】
そして、吸湿材４は、再生領域６において、加熱手段７の輻射熱と加熱手段７により加熱された循環空気８とにより加熱され、循環空気８の流出面及びスリット21を挿入したことにより露出した側面から吸着した水分を放出し、循環空気８はその放出した水分を多量に含み高温高湿となって、循環送風機９により吸湿材４の流出面から熱交換器３へ送られるようになっている。
【００１６】
10は熱交換器３の下方に設けられたタンクであり、吸湿空気２により冷却された熱交換器３内で冷却された循環空気８に含まれる水分が凝縮して熱交換器３の内部表面に結露し、この結露した水は熱交換器３からドレンパン（図示せず）へ流れ落ち、その後、ドレンパンからタンク10へ排水されるようになっている。
【００１７】
また、前記スリット21を設けたことにより露出した吸湿材４の側面から放出された水分のうち、循環空気８に含まれない水分は、除湿機本体１内において冷却され、外部へは流出されずに、水滴となって最終的にタンク10に回収されるようになっている。
【００１８】
つぎに、上記構成についてその作用を説明する。除湿乾燥機の運転を開始すると、送風機５が動作することにより吸湿空気２が除湿機本体１に取り込まれる。そして、この吸湿空気２は、熱交換器３を冷却し、その後、吸湿材４により吸湿され、乾燥された空気となって外部へ排気される。
【００１９】
吸湿材４は図示しない駆動手段により連続的に回転し、水分を吸着した吸湿領域４Ａから再生領域４Ｂに移動する。また、循環空気８は循環送風機９によって、吸湿材４の吸湿領域４Ａ，再生領域４Ｂ，熱交換器３を順に循環して循環送風機９に戻る。
【００２０】
そして、吸湿材４は再生領域４Ｂにおいて、吸湿材４の下流側に設けられた加熱手段７の輻射熱と、加熱手段７により加熱された循環空気８とにより加熱され、この吸湿材４に吸着した水分を放出する。
【００２１】
ここで、吸湿材４は再生領域４Ｂにおいて、循環空気８の流出面からの水分放出経路のみならず、スリット21を設けたことにより露出した各吸湿体22の側面からの水分放出経路も確保されるため、スリット21を設けていない場合と比較して、より多くの水分を放出できる。
【００２２】
すなわち、吸湿材４は再生領域４Ｂにおいて、従来のように吸湿材４における循環空気８の流出面だけでなく、スリット21を設けたことにより露出した各吸湿体22の側面にも吸着した水分の放出経路が確保される。そのため、加熱手段７の輻射熱と加熱手段７により加熱された循環空気８とにより、吸湿材４の再生領域４Ｂを加熱すると、吸着した水分は吸湿材４における循環空気８の流出面から放出されるが、この時吸湿材４は、スリット21を設けたことにより露出した各吸湿体22の側面からも水分の放出口が確保されるので、吸湿材４全体から放出される水分量が増加する。
【００２３】
その後、循環空気８は吸湿材４の再生領域４Ｂにおいて複数の側面から放出された水分を多量に含んで高温高湿となり、循環送風機９によって熱交換器３へ送られる。
【００２４】
そして、熱交換器３へ送られた循環空気８は、熱交換器３内で冷却され、循環空気８に含まれる水分が凝縮して熱交換器３の内部表面に結露する。この結露した水は熱交換器３からドレンパン（図示せず）へ流れ落ち、その後、ドレンパンからタンク10へ効率よく排水される。
【００２５】
また、スリット21を設けたことにより露出した各吸湿体22の側面から放出された水分のうち、循環空気６に含まれない水分は、除湿機本体１内において、冷却され、外部へは流出されずに、水滴となって最終的に熱交換器３で冷却凝縮された水分と同様に、共通のタンク10に回収される。これにより、スリット21を通って放出する水分が、除湿器本体１の外部に流出して除湿機能を低下させる懸念を払拭できると共に、冷却凝縮した全ての水分を共通のタンク10に効率よく回収することができる。
【００２６】
以上のように、本実施例では、室内空気を吸湿空気２として取り込んで吸着材４で吸湿し、この吸着材４に吸湿した水分を加熱手段７で加熱させ、この加熱による水蒸気を例えば熱交換器３などで冷却凝縮して除湿を行なう除湿乾燥機において、前記吸湿材４にスリット21を設けている。
【００２７】
このように、吸湿材４の厚さ面から中心軸に向かってスリット21を設けたことで、再生領域４Ｂにおいて水分の放出経路は循環空気８の流出面のみならず、スリット21により露出した側面にも確保されるので、スリット21を設けない場合と比較して、より多くの水分を放出できる。これにより従来の除湿機のように吸湿材全体の水分を放出させるために加熱手段７の発熱量を上げる必要がない。こうして、水分の放出が効率よく促進されることにより、低消費電力により稼動する除湿乾燥機を提供することができる。
【００２８】
なお、本発明は上記実施例に限定されるものではなく、本発明の要旨の範囲において種々の変形実施が可能である。例えば、実施例において吸湿材に設けられるスリットの数，形状，深さ及び幅等は、除湿乾燥機の設計条件等や水分の放出量が最適となる条件等によって、適宜選定すればよい。
【図面の簡単な説明】
【００２９】
【図１】本発明の除湿乾燥機の一実施例を示す要部の概略説明図である。
【図２】本発明の除湿乾燥機における全体構造を表した概略説明図である。
【図３】従来の除湿乾燥機の全体構造を示す概略説明図である。
【図４】従来の除湿乾燥機における要部の概略説明図である。
【符号の説明】
【００３０】
４  吸湿材
７  加熱手段
21  スリット
【図１】
2005349312.tif 000003
【図２】
2005349312.tif 000004
【図３】
2005349312.tif 000005
【図４】
2005349312.tif 000006